(57)【特許請求の範囲】
【請求項１】
冷凍室の前面開口を開閉する引き出し式扉が設けられ、上面開口の冷凍室容器が前記引き出し式扉と一体に支持部材によって前記冷凍室の左右側壁に前後方向に引き出し収納自在に支持された貯蔵庫において、
前記冷凍室容器は、冷凍食品を貯蔵するための上面開口の深い主容器と、前記主容器の上面開口の左右フランジ部に後方向にスライド自在で且つ着脱自在に前記主容器内の冷気が上方へ逃げることが抑制されるように前記主容器の上面開口の殆んどを覆う状態で前記主容器の上部に配置された冷凍食品を貯蔵するための上面開口の浅い補助容器を備え、前記補助容器上にはその上面開口を前記補助容器内の冷気漏れを防止するよう覆う蓋が着脱自在に載置され、
前記主容器が前記支持部材に支持されて前記補助容器及び前記蓋と共に前記引き出し収納自在であり、
前記主容器は、前記補助容器よりも下方位置において後壁上部に冷気入口を備え前壁上部に冷気出口を備え、
前記補助容器は、前記冷気入口から前記主容器内へ入った冷気が前記冷気出口から流出する間の冷気ガイドをなす関係をなし、
前記主容器は、前記支持部材によって支持される部分、前記冷気入口及び前記冷気出口を外れた前壁、後壁、左右側壁及び底壁が内部空気層を形成した密閉空間の二重壁構造である
ことを特徴とする貯蔵庫。
【発明の詳細な説明】
【技術分野】
【０００１】
本発明は、上面開口の合成樹脂製の冷凍室容器が前面開口の冷凍室内に前後方向に引き出し収納自在である貯蔵庫の冷凍室容器の改良に関する。
【背景技術】
【０００２】
冷凍室の前面開口を開閉する引き出し式扉３７の裏側に収納容器３８を取り付け、この収納容器３８を引き出し式扉３７と一体に引き出せるようにし、この収納容器３８の上部に前後方向に移動可能に第２の収納容器３９を設けた冷蔵庫があるが、この収納容器３８の各壁は一重壁である。（例えば、特許文献１）。
【特許文献１】特開２０００−２６６４５２号公報
【発明の開示】
【発明が解決しようとする課題】
【０００３】
この特許文献１の収納容器３８のような冷凍室容器は、−２０℃のように氷点下の温度に冷却された冷凍室に収納されて、その中に収納した冷凍食品がこの氷点下に冷凍されている。このため、冷凍室容器が冷凍室から引き出されたときは、この冷凍食品の温度上昇が生じ易くなる。本発明は、冷凍室容器が冷凍室から引き出されたときの冷凍食品の温度上昇を抑制できる構成を提供するものである。
【課題を解決するための手段】
【０００４】
本発明の貯蔵庫は、冷凍室の前面開口を開閉する引き出し式扉が設けられ、上面開口の冷凍室容器が前記引き出し式扉と一体に支持部材によって前記冷凍室の左右側壁に前後方向に引き出し収納自在に支持された貯蔵庫において、前記冷凍室容器は、冷凍食品を貯蔵するための上面開口の深い主容器と、前記主容器の上面開口の左右フランジ部に後方向にスライド自在で且つ着脱自在に前記主容器内の冷気が上方へ逃げることが抑制されるように前記主容器の上面開口の殆んどを覆う状態で前記主容器の上部に配置された冷凍食品を貯蔵するための上面開口の浅い補助容器を備え、前記補助容器上にはその上面開口を前記補助容器内の冷気漏れを防止するよう覆う蓋が着脱自在に載置され、前記主容器が前記支持部材に支持されて前記補助容器及び前記蓋と共に前記引き出し収納自在であり、前記主容器は、前記補助容器よりも下方位置において後壁上部に冷気入口を備え前壁上部に冷気出口を備え、前記補助容器は、前記冷気入口から前記主容器内へ入った冷気が前記冷気出口から流出する間の冷気ガイドをなす関係をなし、前記主容器は、前記支持部材によって支持される部分、前記冷気入口及び前記冷気出口を外れた前壁、後壁、左右側壁及び底壁が内部空気層を形成した密閉空間の二重壁構造であることを特徴とする。
【発明の効果】
【０００８】
本発明の冷凍室容器は、深い上面開口の冷凍食品を貯蔵する主容器と、主容器の上面開口を覆う状態の上面開口の冷凍食品を貯蔵する補助容器の組み合わせは、補助容器が、冷気入口から主容器内へ入った冷気が冷気出口から流出する間の冷気ガイドをなす関係をなす構成であり、主容器は、支持部材によって支持される部分を外れた下部が内部空気層を形成した密閉空間の二重壁構造であるため、一重壁構造であった冷凍室容器の支持装置の構造変更が必要なく、そのまま適用できる。
また、冷凍室容器内への冷機循環を行うために、後壁上部に形成した冷気入口と前壁上部に形成した冷気出口を外れた位置で、前壁、後壁、左右側壁及び底壁の下部を内部空気層を形成した密閉空間の二重壁構造としているため、冷気入口と冷気出口の構成が、二重壁構造による制限を受けない状態の設計ができる。
そして、冷凍室容器が冷凍室から引き出されたとき、その中に収納した冷凍食品が接触している冷凍室容器の壁、例えば底壁や前壁が氷点下であっても、この底壁や前壁が二重壁であることによって、その底壁や前壁の外側面が外気に触れても、内部空気層が断熱性能向上に寄与することによって、冷凍食品の温度上昇が抑制される。このため、再び冷凍室容器が冷凍室へ収納されたときの冷凍室温度上昇も少なくなり、冷凍食品を所定の低温に冷却するための冷凍運転時間も減少し、省エネ効果が期待できる。
【発明を実施するための最良の形態】
【００１２】
本発明は、冷凍室の前面開口を開閉する引き出し式扉が設けられ、上面開口の冷凍室容器が前記引き出し式扉と一体に支持部材によって前記冷凍室の左右側壁に前後方向に引き出し収納自在に支持された貯蔵庫において、前記冷凍室容器は、冷凍食品を貯蔵するための上面開口の深い主容器と、前記主容器の上面開口の左右フランジ部に後方向にスライド自在で且つ着脱自在に前記主容器内の冷気が上方へ逃げることが抑制されるように前記主容器の上面開口の殆んどを覆う状態で前記主容器の上部に配置された冷凍食品を貯蔵するための上面開口の浅い補助容器を備え、前記補助容器上にはその上面開口を前記補助容器内の冷気漏れを防止するよう覆う蓋が着脱自在に載置され、前記主容器が前記支持部材に支持されて前記補助容器及び前記蓋と共に前記引き出し収納自在であり、前記主容器は、前記補助容器よりも下方位置において後壁上部に冷気入口を備え前壁上部に冷気出口を備え、前記補助容器は、前記冷気入口から前記主容器内へ入った冷気が前記冷気出口から流出する間の冷気ガイドをなす関係をなし、前記主容器は、前記支持部材によって支持される部分、前記冷気入口及び前記冷気出口を外れた前壁、後壁、左右側壁及び底壁が内部空気層を形成した密閉空間の二重壁構造であることを特徴とするものであり、本発明の実施例を以下に記載する。
【実施例１】
【００１３】
次に、本発明の貯蔵庫を冷凍冷蔵庫とした実施の形態について説明する。図１は冷凍冷蔵庫の縦断側面図、図２は冷凍冷蔵庫本体の正面図、図３は冷凍室容器の斜視図、図４は冷凍室容器の分解斜視図、図５は冷凍室容器を支持装置に支持する部分の縦断正面図、図６は冷凍室容器への冷気入口部分を示す縦断側面図、図７は冷凍室容器の下部を二重壁構造とする外装箱の分解した斜視図である。
【００１４】
実施例１に係る冷凍冷蔵庫１は、前面開口の冷凍冷蔵庫本体２内を区画して複数の貯蔵室を形成し、これら各貯蔵室の前面は各扉で開閉できる構成である。冷凍冷蔵庫本体２は外箱（外壁板）２Ａと内箱（内壁板）２Ｂとの間に発泡断熱材２Ｃを充填した断熱構造である。冷凍冷蔵庫本体２内には、上から冷蔵室３、冷凍室５、野菜室４が区画されて設けられ、冷蔵室３の前面開口は左右開き式扉３Ａによって閉じられている。
【００１５】
６は冷凍冷蔵庫本体２の底部に設けた機械室に設置した冷媒の圧縮機であり、圧縮機６で圧縮した冷媒は、凝縮器４２で凝縮され、キャピラリチューブなどの減圧部を通って蒸発器（冷却器）７で蒸発した後、再び圧縮機６へ帰還して圧縮される循環を行うものであり、これらによって冷凍サイクルが構成される。８は蒸発器（冷却器）７で冷却した冷気を冷蔵室３、野菜室４、冷凍室５へ循環する送風機である。
【００１６】
冷凍室５には、上面開口の合成樹脂製の冷凍室容器１０が前面開口の冷凍室３内に前後方向に引き出し収納自在に設けられている。冷凍室容器１０の前後方向の引き出しと収納をし易くするために、冷凍室容器１０の左右側壁は左右のレール２２、又はレール２２とローラ２３の組み合わせによる支持装置２０によって支持され、冷凍室５の前面開口は、支持装置２０によって冷凍室容器１０と共に前後方向へ移動可能に支持された引き出し式扉９にて開閉される。図示の支持装置２０は、扉９の裏側から後方へ水平状態に延びた左右の支持部材２１のレール部２２が、冷凍室５の左右壁に取り付けたローラ２３に載置される関係で構成され、冷凍室容器１０は、上方へ取り外し可能なるように冷凍室容器１０の左右両側のフランジ部が左右の支持部材２１に載置されている。
【００１７】
野菜室４の前面開口は、野菜室４内に設けた左右のレールとローラによる支持装置によって前後方向へ引き出し可能に支持した野菜容器４０と共に前方へ引き出される引き出し式扉４１にて閉塞されている。冷蔵室３の背壁４４と冷蔵庫本体２の背壁の内箱（内壁板）２Ｂとの間に上下方向の冷気供給通路４３が形成されている。
【００１８】
蒸発器（冷却器）７で冷却した冷気は送風機８によって矢印のように循環する。即ち、送風機８から送出される冷気は冷凍室５の背面の冷気吹き出し口２７から冷凍室５へ供給され、後述のように冷凍室容器１０内に流入し、冷凍室容器１０を出た冷気は、冷凍室５の背面下部の冷気吸込み口４５から再び蒸発器（冷却器）７にて冷却されるように帰還し、同様の循環をする。また送風機８から送出される冷気は、ダンパー装置４６を通って冷気供給通路４３へ供給され、冷気供給通路４３の左右両側に形成した冷気通路４３Ａに分配されて冷蔵室３の背壁４４に形成した冷気吹き出し口４７から冷蔵室３へ供給される。
【００１９】
冷蔵室３へ供給された冷気は、冷蔵室３の背壁４４の一側下部に形成した冷気吸込み口４８から吸い込まれて、冷凍室５の後方に形成した冷気通路５０を下方に流れて野菜室４の後部に開口した冷気吹き出し口５１から野菜室４に吹き出す。野菜室４に吹き出した冷気は、野菜容器４０内の野菜等を大半の冷気によって間接的に冷却し侵入する一部の冷気によって直接冷却して、野菜室４の上部又は野菜室４の後部に開口した冷気吸込み口５２から再び蒸発器（冷却器）２４にて冷却されるように帰還し、同様の循環をする。
【００２０】
このような構成によって、引き出し式扉９を前方へ引き出すことによって、支持部材２１が引き出されるため、支持部材２１に載置された冷凍室容器１０が引き出され、冷凍室容器１０の上面開口が冷凍冷蔵庫本体２の前方へ位置するため、冷凍室容器１０に対する冷凍食品の出し入れが容易となる。なお、この前方への引き出しによって、ローラ２３による支持から支持部材２１が外れることがないように、引き出し式扉９の前方への引き出しを制限するストッパ部が支持部材２１に設けられている。
【００２１】
冷凍室容器１０は、深い上面開口の不透明な主容器１０Ａと、主容器１０Ａの上面開口上端部の左右フランジ部に前後方向にスライド自在で且つ着脱自在に載置される浅い上面開口の透明な補助容器１０Ｂとからなり、補助容器１０Ｂの上面開口を覆うように補助容器１０Ｂの周縁部に着脱自在に載置される透明な板状の蓋１０Ｃを備えている。支持部材２１に載置されるのは主容器１０Ａであり、引き出し式扉９を前方へ引き出すことによって、支持部材２１と共に主容器１０Ａと補助容器１０Ｂと蓋１０Ｃが一体に引き出されることとなる。このため、この引き出し状態で蓋１０Ｃを外せば補助容器１０Ｂ内に対する冷凍食品の出し入れが容易となり、補助容器１０Ｂを蓋１０Ｃごと外せば、主容器１０Ａに対する冷凍食品の出し入れが容易となる。
【００２２】
上記のように、冷凍室容器１０は支持装置２０によって支持されているが、この場合、主容器１０Ａが支持装置２０によって支持されていることにより、この支持構造を冷凍室容器１０が補助容器１０Ｂを設けない単一容器形態の冷凍室容器１０の支持と共通化することができ、支持装置２０のコストダウン化を図ることができるものとなる。また、主容器１０Ａが支持装置２０によって支持されていることにより、補助容器１０Ｂを含む冷凍室容器１０全体の着脱自在な支持がし易くなる。
【００２３】
主容器１０Ａは、主容器１０Ａの後壁１０Ａ１の上部に冷気入口２５を備え、主容器１０Ａの前壁１０Ａ２の上部に冷気出口２６を備えている。冷気入口２５は、補助容器１０Ｂよりも下方位置において後壁１０Ａ１の上部を窪ませた切り欠き状態に形成され、冷気出口２６は複数の縦長孔が横方向に略等間隔に形成された状態で形成されている。冷凍室５の背壁には冷気吹き出し口２７が前方へ向けて突出状態に設けられている。冷気吹き出し口２７から吹き出す冷気は、蒸発器（冷却器）７で冷却した冷気が送風機８によって供給されるものである。
【００２４】
補助容器１０Ｂは、主容器１０Ａの上面開口上端部の左右フランジ部に載置された状態で、その底面が主容器１０Ａ内に進入した状態となり、主容器１０Ａの上面開口の殆んど補助容器１０Ｂによって覆われる状態となる。このため、補助容器１０Ｂによって主容器１０Ａ内の冷気が上方へ逃げることが抑制される。また、補助容器１０Ｂは、冷気入口２５から主容器１０Ａ内へ入った冷気が冷気出口２６から流出する間の冷気ガイドの役目もすることとなる。
【００２５】
そして、蓋１０Ｃが補助容器１０Ｂの上面開口を覆っており、引き出し式扉９を前方へ引き出すことによって、主容器１０Ａと補助容器１０Ｂと蓋１０Ｃが一体に引き出されるが、この引き出し状態において、蓋１０Ｃが補助容器１０Ｂ内の冷気漏れを防止する役目をし、補助容器１０Ｂ内の冷凍食品の温度上昇を抑制すると共に、主容器１０Ａの上面開口は補助容器１０Ｂで覆われているため、主容器１０Ａ内の冷凍食品の温度上昇も抑制される。また、この引き出し状態において、補助容器１０Ｂを蓋１０Ｃで覆った状態で補助容器１０Ｂを主容器１０Ａの上面開口上端部の左右フランジ部上を後方へスライドさせることによって、主容器１０Ａ内の冷凍食品の取り出しが可能となるが、補助容器１０Ｂの上面開口は蓋１０Ｃで覆われているため、補助容器１０Ｂ内の冷凍食品の温度上昇は抑制される。
【００２６】
主容器１０Ａの冷気入口２５には、図３に示すように、常時バネ力又は自重の作用力によって冷気入口２５を閉じる状態に左右の軸支持部２８Ａで維持された開閉板２８が取り付けられている。支持部材２１に載置された冷凍室容器１０は、引き出し式扉９を閉じることによって、冷凍室５の所定の収納位置に向けて移動するため、この収納位置へ向けて主容器１０Ａが冷凍室５の奥方向へ移動することに伴って、冷気吹き出し口２７が開閉板２８に当接し、前記バネ力又は自重の作用力に抗して開閉板２８が冷気吹き出し口２７によって前方へ押される。そして、引き出し式扉９が冷凍室５の前面開口を閉じた状態で、冷凍室容器１０が冷凍室５の所定位置に収納された状態となるため、この状態で、開閉板２８が図６に示すように軸支持部２８Ａを軸として略水平状態まで回動して、冷気入口２５を開く状態となる。この状態で、冷気吹き出し口２７から供給される冷気が主容器１０Ａ内に流入し、冷気出口２６から冷凍室５内へ流出する。冷凍室５内へ流出した冷気は、冷凍室５の背壁の下部等に設けた吸い込み口から蒸発器（冷却器）７へ帰還する循環をする。
【００２７】
また、引き出し式扉９を前方へ引き出すことに伴って、冷凍室容器１０が前方へ引き出されるため、この引き出しに伴って開閉板２８から冷気吹き出し口２７が離れ、開閉板２８はバネ力又は自重の作用力によって図３に示すように、冷気入口２５を閉じた状態に保つため、引き出した状態で主容器１０Ａ内の冷気が冷気入口２５から逃げることが防止される。
【００２８】
上記のような引き出しによって、主容器１０Ａと補助容器１０Ｂが共に冷凍冷蔵庫本体２の前方へ引き出され、外気に晒される。このとき、主容器１０Ａと補助容器１０Ｂに冷凍食品が収納されておれば、その冷凍食品に接触している主容器１０Ａと補助容器１０Ｂの壁が零下の温度になったままであるため、この壁を通して中に収納した冷凍食品の温度が上昇する。そこで、本発明では、これを防止するために、容器の下部を二重壁構造にする。この場合、補助容器１０Ｂは浅い容器形態であるため、外気に晒される表面積は狭いが、主容器１０Ａは深い容器形態であるため、その前壁１０Ａ２、後壁１０Ａ１、左側壁１０Ａ３、右側壁１０Ａ４、及び底壁１０Ａ５の表面積が広く、外気に晒される表面積が広くなり、この現象が現われ易い。このため、主として主容器１０Ａを内部空気層を持つ二重壁構造にする。この二重壁構造は、その二重壁の内部を冷気ダクトとして利用するのではなく、密閉空間として断熱性能を持たせたものである。
【００２９】
上記のように、主容器１０Ａが支持装置２０によって支持されていることにより、二重壁構造にすることにより、その指示構造を変更しなければならないこと、コストアップを来たし、好ましくない。また、主容器１０Ａ内の収納される冷凍食品は、底壁１０Ａ５に載置されて、満杯に収納された場合を除き、主として前壁１０Ａ２、後壁１０Ａ１、左側壁１０Ａ３、右側壁１０Ａ４の下部に当接し、その部分が零下に冷却されたままとなる。このため、主容器１０の下部を、内部空気層３０を持つ二重壁構造にするように、主容器１０の外周に間隔（内部空気層３０）を存して外殻壁３１を主容器１０に組み合わせ取り付けた構成とする。もちろん、補助容器１０Ｂを設けず主容器１０Ａのみで構成した冷凍室容器１０の場合も同様である。
【００３０】
また、左側壁１０Ａ３と右側壁１０Ａ４の部分は、支持装置２０の支持部材２１に載置支持されるため、この二重壁構造は、この支持される部分を外れた下部の前壁１０Ａ２、後壁１０Ａ１、左側壁１０Ａ３、右側壁１０Ａ４及び底壁１０Ａ５が内部空気層３０を形成した二重壁構造である。このため、冷凍食品が接触している冷凍室容器の壁が氷点下であっても、この壁が二重壁であることによって、その壁の外側面が外気に触れても、内部空気層が断熱性能向上に寄与することによって、冷凍食品の温度上昇が抑制される。したがって、再び冷凍室容器１０が冷凍室５へ収納されたときの冷凍室５の温度上昇も少なくなり、冷凍食品を所定の低温に冷却するための冷凍運転時間も減少し、省エネ効果が期待できる。また、支持装置２０の下方部分において二重壁構造であるため、一重壁構造であった冷凍室容器の支持装置がそのまま適用できる効果もある。
【００３１】
また、後壁１０Ａ１には冷気入口２５を備え、前壁１０Ａ２には冷気出口２６を備えるため、冷気入口２５と冷気出口２６を外れた下部の後壁１０Ａ１、前壁１０Ａ２、左側壁１０Ａ３、右側壁１０Ａ４及び底壁１０Ａ５が内部空気層３０を形成した二重壁構造である。このため、内部空気層３０によってその底壁１０Ａ５や周囲壁の外側面が冷凍食品による低温にならないため、その外側面への霜の付着やツブツブ氷ができることもなく、冷凍室容器１０の引き出し収納の支障となる虞はない。また、冷気入口２５と冷気出口２６の構成が、二重構造によって影響を受けないため、冷気入口２５と冷気出口２６の構成を好ましい状態に形成できるものとなる。
【００３２】
上記実施例では、冷凍室容器１０を主容器１０Ａと補助容器１０Ｂで構成しているが、補助容器１０Ｂを設けず主容器１０Ａのみである構成でも同様である。
【産業上の利用可能性】
【００３３】
本発明の冷凍冷蔵庫は、上記実施形態に限定されず、また、冷凍室の形態や冷凍室容器の形態も上記形態に限定されず、本発明の技術的範囲を逸脱しない限り種々の形態の冷凍冷蔵庫や冷凍室容器に適用できるものである。
【図面の簡単な説明】
【００３４】
【図１】本発明に係る冷凍冷蔵庫の縦断側面図である。（実施例１）
【図２】本発明に係る冷凍冷蔵庫本体の正面図である。（実施例１）
【図３】本発明に係る冷凍室容器の斜視図である。（実施例１）
【図４】本発明に係る冷凍室容器の分解斜視図である。（実施例１）
【図５】本発明に係る冷凍室容器を支持装置に支持する部分の縦断正面図である。（実施例１）
【図６】本発明に係る冷凍室容器への冷気入口部分を示す縦断側面図である。（実施例１）
【図７】本発明に係る冷凍室容器の下部を二重壁構造とする外装箱の分解した斜視図である。（実施例１）
【符号の説明】
【００３５】
１・・・冷凍冷蔵庫
２・・・冷凍冷蔵庫本体
３・・・冷蔵室
４・・・野菜室
５・・・冷凍室
７・・・蒸発器（冷却器）
８・・・送風機
９・・・引き出し式扉
１０・・冷凍室容器
１０Ａ・・主容器
１０Ｂ・・補助容器
２０・・支持装置
２１・・支持部材
２２・・レール部
２３・・ローラ
２５・・冷気入口
２６・・冷気出口
２７・・冷気吹き出し口
２８・・開閉板
３０・・内部空気層
３１・・外殻壁
【図１】
0004641967.tif 000002
【図２】
0004641967.tif 000003
【図３】
0004641967.tif 000004
【図４】
0004641967.tif 000005
【図５】
0004641967.tif 000006
【図６】
0004641967.tif 000007
【図７】
0004641967.tif 000008